(57)【特許請求の範囲】
【請求項１】
イニシエータの収容室に挿入されるハウジングと、
前記ハウジングの先端面に一列に並んで開口した複数の端子収容室と、
前記収容室内のピンが挿入されるピン挿入部を備えて前記端子収容室にそれぞれ収容された端子と、
前記端子収容室に嵌合するスライダと、
前記スライダを付勢するバネと、
前記イニシエータに設けられた係止アームと、
前記スライダに設けられ、嵌合状態において前記係止アームの移動を規制する移動規制片と、
嵌合状態において、前記ハウジングの先端面側に設けられ前記係止アームと係止する係止凸部と、
を備え、
前記ピン挿入部は、前記ピン挿入部に挿入された前記ピンに弾接して前記ピンを前記ピン挿入部内に支持する弾接片と、前記弾接片とで前記ピンを挟持する打出部とを有し、
前記端子は、前記弾接片が前記端子収容室の配列方向に配置されるように、前記端子収容室内に収容され、
前記移動規制片は、前記嵌合動作時に於いて、前記係止凸部に乗り上げる状態に位置している場合に、前記係止アームに押され前記バネの付勢力に抗して挿入方向に対して後に移動しつつ、嵌合状態時には、前記係止アームの外面側に位置し前記係止アームの前記外面側の方向への移動を規制する
ことを特徴とするコネクタ。
【請求項２】
前記ピン挿入部は、前記弾接片とで前記ピンを挟持する打出部を備えていることを特徴とする請求項１に記載のコネクタ。
【発明の詳細な説明】
【技術分野】
【０００１】
本発明は、イニシエータの収容室に挿入されるハウジングの先端面に、端子を収容した複数の端子収容室を開口させたコネクタに関する。
【背景技術】
【０００２】
この種のコネクタは、下記の特許文献１に開示されている。特許文献１の電気的接続装置では、第１の構成要素（イニシエータ）のソケット（収容室）に第２の構成要素（ハウジング）の中央プラグ部分が挿入されると、中央プラグ部分の先端面に設けられた開口から、ソケット内のピンが中央プラグ部分内に挿入され、中央プラグ部分内の電気端子に接続される。
【先行技術文献】
【特許文献】
【０００３】
【特許文献１】特開２００２−３２４６３８号公報
【発明の概要】
【発明が解決しようとする課題】
【０００４】
上記従来のコネクタでは、ソケットに対して中央プラグ部分が傾いて挿入されると、中央プラグ部分の開口の角部にピンの先端が当接し、ピンが変形する虞があった。
【０００５】
本発明は斯かる課題に鑑みてなされたもので、収容室内のピンが収容室内に挿入されたハウジングと当接して変形するのを防止できるコネクタを提供することを目的とする。
【課題を解決するための手段】
【０００６】
このような目的を達成するために、本発明のコネクタは、イニシエータの収容室に挿入されるハウジングと、前記ハウジングの先端面に一列に並んで開口した複数の端子収容室と、前記収容室内のピンが挿入されるピン挿入部を備えて前記端子収容室にそれぞれ収容された端子と、前記端子収容室に嵌合するスライダと、前記スライダを付勢するバネと、前記イニシエータに設けられた係止アームと、前記スライダに設けられ、嵌合状態において前記係止アームの移動を規制する移動規制片と、嵌合状態において、前記ハウジングの先端面側に設けられ前記係止アームと係止する係止凸部と、を備え、前記ピン挿入部は、前記ピン挿入部に挿入された前記ピンに弾接して前記ピンを前記ピン挿入部内に支持する弾接片と、前記弾接片とで前記ピンを挟持する打出部とを有し、前記端子は、前記弾接片が前記端子収容室の配列方向に配置されるように、前記端子収容室内に収容され、前記移動規制片は、前記嵌合動作時に於いて、前記係止凸部に乗り上げる状態に位置している場合に、前記係止アームに押され前記バネの付勢力に抗して挿入方向に対して後に移動しつつ、嵌合状態時には、前記係止アームの外面側に位置し前記係止アームの前記外面側の方向への移動を規制する。
【発明の効果】
【０００７】
本発明によれば、ハウジングのイニシエータに対する嵌合間口の高さを低く抑えることで、ハウジングがイニシエータに挿入される際にハウジングがピンに接触してピンが変形するのを防止できる。
【図面の簡単な説明】
【０００８】
【図１】本発明の一実施形態のコネクタを上方から見た分解斜視図である。
【図２】コネクタを上方から見た斜視図であり、（ａ）はイニシエータに対するハウジングの組付前，（ｂ）は組付後を示している。
【図３】ハウジングに組み付けられる端子を示す図であり、（ａ）は左後方からの斜視図，（ｂ）は（ａ）のＡーＡ矢視断面図である。
【図４】ハウジングに組み付けられた端子にピンが接続された状態を示す図であり、（ａ）は図３（ａ）のＡーＡ矢視断面図，（ｂ）は（ａ）のＢ−Ｂ矢視断面図である
【図５】イニシエータに対するハウジングの組付動作を、前後方向に沿った縦断面で示す図である。
【図６】（ａ）は図２（ｂ）の前後方向に直交する方向に沿った断面図，（ｂ）は（ａ）の端子収容部を部分的に拡大して示す断面図である。
【図７】イニシエータのシャントが備える収容室にハウジングが備える端子収容部が傾いて挿入される状態を、前後方向に沿った縦断面で示す図である。
【発明を実施するための形態】
【０００９】
以下、図面を参照して、本発明の一実施形態を説明する。
図１，２は、本実施形態のコネクタを示す図であり、図１は上方から見た分解斜視図，図２は斜視図である。なお、以下の説明で用いる上下，前後，左右の各方向は説明に用いる各図に示している。この上下，前後，左右は説明のために記載したもので、実際の配置と異なってよいことはもちろんである。
【００１０】
図１，２に示すように、コネクタは、イニシエータ１とハウジング５とを備えている。イニシエータ１は、有底円筒状を呈した本体２と、円柱状を呈して本体２に収容されたシャント３とを備えている。本体２は、シャント３を収容する収容室２０を前面に開口させている。収容室２０の底面からは、一対のピン２１が前方に向けて左右に並んで延びている。収容室２０の左右の内側面には、それぞれ係止凹部２３が設けられている。また、収容室２０の前端開口部の上縁部及び下縁部には、それぞれ嵌合凹部２２が設けられている。
【００１１】
シャント３は、前端面から後端面にかけてシャント３を貫通した挿通孔３０を備えている。挿通孔３０には、図１に示す短絡金具４が嵌め込まれている。短絡金具４は、係止片４１が挿通孔３０内に係止され、挿通孔３０内に延びた両ピン２１にそれぞれ接触片４２を弾接させている。
【００１２】
図１に示すように、シャント３の左右の側面からは、それぞれ係止片３３が延びている。各係止片３３は、シャント３の外側に向けて屈曲して前方に延びている。また、シャント３の上下の側面には、それぞれ嵌合凸部３１が設けられている。図５に示すように、挿通孔３０の上縁部の後端部からは、係止アーム３２が前方に向けて延びている。
【００１３】
図２に示すように、シャント３は、収容室２０内に収容されて、嵌合凸部３１が嵌合凹部２２に嵌め合わされている。収容室２０内に収容されたシャント３は、係止凹部２３に係止片３３が係止されている。また、図５に示すように、シャント３は、収容室２０の底面に後端面を当接させており、本体２のピン２１が挿通孔３０内を前端側に延びている。
【００１４】
図１に示すように、ハウジング５は、端子１０が装着されるハウジング本体６と、ハウジング本体６を前側から覆うカバー７とを備えている。ハウジング本体６の後面からは四角ブロック状の端子収容部６１が後方に延びており、ハウジング本体６の下面からは電線収容部６２が下方に延びている。端子収容部６１は、端子１０を収容する端子収容室６０ａを左右に並べて前面及び後面に開口させている。
【００１５】
図５に示すように、端子収容部６１の延出位置の上側に位置したハウジング本体６の後面には、後述するスライダ８を収容する端子収容室６３が開口している。また、端子収容部６１の後端部の上面には係止凸部６１ｂが設けられている。図示しないが、各係止凸部６１ｂの前側に位置する端子収容部６１の上面には、左右に並んで一対の端子係止アームが設けられている。
【００１６】
図１に示すように、電線収容部６２は、ハウジング本体６の下縁部から下方に延びており、左右の側面に係止凸部６２ａを備えている。電線収容部６２には、端子の電線Ｄが挿通されたフェライトＨを電線Ｄと共に収容する電線収容室６０ｂが設けられている。
【００１７】
端子収容部６１には、スライダ８が嵌め合わされる。図１に示すように、スライダ８は、バネ収容室８１ａを前面に開口させたバネ収容部８１と、バネ収容部８１の下端部から後方に延びた移動規制片８２とを備えている。バネ収容部８１の左右の側面からは、一対のスライド部８１ｂが左右の側方に延びている。ハウジング本体６の左右の側面には、スライド部８１ｂを前後方向にガイドするガイド部６１ａが設けられている。
【００１８】
図２に示すように、スライダ８は、バネ収容部８１で端子収容部６１の上面及び左右の側面を覆い、前後方向にスライド自在にハウジング本体６に嵌め合わされる。図５に示すように、スライダ８のバネ収容部８１は、端子収容室６３内に収容されている。また、バネ９は、バネ収容室８１ａに一端部を収容され、他端部をバネ収容室８１ａから前方に突出させている。
【００１９】
図２に示すように、カバー７は、下端部に設けられた左右一対の係止部７１をハウジング本体６の係止凸部６２ａに係止されて、ハウジング本体６に取り付けられている。ハウジング本体６に取り付けられたカバー７は、端子を前側から端子収容室６０ａ内に押え付け、フェライトＨを前側から電線収容室６０ｂの内面に押え付けて、端子１０及びフェライトＨをハウジング本体６とで挟み込んでいる。
【００２０】
次に、端子収容部６１の端子収容室６０ａに収容される端子１０について説明する。図３は端子１０を示す図，図４は端子にピンが接続された状態を示す図である。
【００２１】
図３に示す端子１０は、金属製の平板を折り曲げて構成されており、ピン２１が挿入されるピン挿入部１１と、電線の芯線に巻き付けられるワイヤーバレル１２と、電線の被覆部に巻き付けられるインシュレーションバレル１３とを備えている。
【００２２】
図３に示すように、ピン挿入部１１は、右壁１１ａ，上壁１１ｂ，下壁１１ｄ，及び左壁１１ｅで、四角筒状を呈して前後方向に延びたピン挿入室１１１を形成している。左壁１１ｅには、支持部１１ｅ１、挿通孔１１ｅ２、及び規制部１１ｅ３が設けられている。支持部１１ｅ１は、左壁１１ｅの前端部に設けられており、左壁１１ｅを内側に湾曲させて形成されている。挿通孔１１ｅ２は、左壁１１ｅの後端部に設けられており、左壁１１ｅを内側から外側にかけて貫通している。規制部１１ｅ３は、挿通孔１１ｅ２の前縁部に設けられており、左壁１１ｅを内側に湾曲させて形成されている。
【００２３】
ピン挿入部１１の右壁１１ａの後端部には、打出部１１ａ１が設けられている。打出部１１ａ１は、右壁１１ａを打ち出して内側に湾曲させて形成されており、挿通孔１１ｅ２及び規制部１１ｅ３と対向する位置に位置している。ピン挿入部１１の上壁１１ｂ，下壁１１ｄの前端部には、図３では図示が省略されているが、貫通孔１１ｂ１，１１ｄ１が設けられている（図４参照）。貫通孔１１ｂ１，１１ｄ１は、上壁１１ｂ，下壁１１ｄを内側から外側にかけて貫通しており、打出部１１ａ１，挿通孔１１ｅ２，及び規制部１１ｅ３と前後位置を揃えて配置されている。
【００２４】
上壁１１ｂの左縁部からは左壁１１ｅの内側に弾接片１１ｃが延びている。弾接片１１ｃは、上壁１１ｂの前端部の左縁部から左壁１１ｅの内側に延びており、後端部を右壁１１ａ側に傾斜させている。弾接片１１ｃの後端部には、弾接片１１ｃを外面側から内側に湾曲させて形成された当接部１１ｃ１が設けられている。
【００２５】
図４に示すように、ピン挿入部１１は、ピン挿入室１１１内に後端開口部から挿入されたピン２１の外周面に弾接片１１ｃの当接部１１ｃ１を当接させ、打出部１１ａ１及び当接部１１ｃ１でピン２１を左右方向に挟み込んで、ピン挿入室１１１内にピン２１を保持する。ピン２１に当接部１１ｃ１を当接させた弾接片１１ｃは、外面の前後方向の中央部を支持部１１ｅ１に当接させている。規制部１１ｅ３には、ピン挿入部１１に対してピン２１が左右方向に傾いて挿入された際に、弾接片１１ｃの後端部が当接する。図４（ｂ）に示すように、端子１０は、打出部１１ａ１及び弾接片１１ｃが並んだ上下方向の占有スペースｂが左右方向の占有スペースａに比べて大きくなっている。
【００２６】
次に、ハウジング５をイニシエータ１に装着する際の作業について説明する。ハウジング５をイニシエータ１に装着する際には、図５（ａ）に示すように、端子収容部６１が挿通孔３０内に挿入される。シャント３の係止アーム３２は、端子収容部６１の係止凸部６１ｂに乗り上げて、図５（ｂ）に示すようにスライダ８の移動規制片８２に先端を当接させ、スライダ８を後方に押圧する。これにより、スライダ８は、スライド部８１ｂをガイド部６１ａにガイドされて、バネ９を圧縮しながらハウジング本体６に対して前方に移動する。その後、端子収容室６０ａ内の端子１０にイニシエータ１のピン２１が接続されて、図５（ｃ）に示すように係止アーム３２が係止凸部６１ｂに係止されると、スライダ８がバネ９の付勢力で後方に移動し、移動規制片８２が係止アーム３２の上方に位置する。これにより、係止アーム３２が上方への移動を移動規制片８２で規制される。
【００２７】
このようにして構成された端子１０は、図６に示すように、端子収容部６１に左右に並んで配置された端子収容室６０ａ内に、端子収容室６０ａの左内壁面に左壁１１ｅの外面を密着させて収容されている。つまり、端子１０は、端子収容室６０ａの配列方向と同じ左右方向に打出部１１ａ１及び弾接片１１ｃが配置されるように、端子収容室６０ａ内に収容されている。端子１０の上下方向の占有スペースｂが左右方向の占有スペースａに比べて大きいことから、打出部１１ａ１及び弾接片１１ｃが２１を挟んで上下に並んで配置される場合に比べて、嵌合間口の高さＨが低く抑えられる。このため、図７に示すように、ハウジング５が上下方向に傾いた状態で端子収容部６１が挿通孔３０に挿入されたとしても、ハウジング５の上下方向の傾きに対する端子収容室６０ａの上縁及び下縁の移動量が小さく抑えられる。従って、端子収容室６０ａの上縁及び下縁の角部とピン２１との接触によるピン２１の変形が防止される。
【００２８】
本実施形態によれば、ピン挿入部１１内に挿入されたピン２１に弾接する弾接片１１ｃが、ハウジング５の先端面に開口した端子収容室６０ａの配列方向に配置されるように、端子収容室６０ａ内に収容されていることから、嵌合間口の高さを低く抑えてハウジング５の上下方向の傾きに対する端子収容室６０ａの上縁及び下縁の移動量を小さく抑えることができる。また、弾接片１１ｃとでピン２１を挟持する打出部１１ａ１も端子収容室６０ａの配列方向に配置されるように、端子収容室６０ａ内に収容されていることから、嵌合間口の高さＨを低く抑えてハウジング５の上下方向の傾きに対する端子収容室６０ａの上縁及び下縁の移動量を小さく抑えることができる。従って、端子収容室６０ａの上縁及び下縁の角部とピン２１との接触によるピン２１の変形を防止することができる。この結果、端子１０をピン２１に正常に端子接触させることができる。
【００２９】
なお、上記実施形態では、端子収容部６１の後端面に２つの端子収容室６０ａが左右に並んで開口している場合について説明した。しかしながら、端子収容部６１の後端面に開口する端子収容室６０ａの数量は任意であり、３つ以上の端子収容室６０ａが開口している構成としてもよい。また、端子収容室６０ａが左右だけでなく上下にも並んで開口している構成としてもよい。また、上記実施形態では、２つの端子１０の弾接片１１ｃが同方向を向いて配置される場合について説明したが、弾接片１１ｃが２つのピン２１を挟んで反対側に配置されるようにしてもよい。また、上記実施形態では、弾接片１１ｃとでピン２１を挟持する打出部１１ａ１を備える場合について説明したが、打出部１１ａ１を備えていなくてもよい。
【符号の説明】
【００３０】
１            イニシエータ
２            本体
２０          収容室
２１          ピン
２２          嵌合凹部
２３          係止凹部
３            シャント
３０          挿通孔
３１          嵌合凸部
３２          係止アーム
３３          係止片
４            短絡金具
４１          係止片
４２          接触片
５            ハウジング
６            ハウジング本体
６０ａ        端子収容室
６０ｂ        電線収容室
６１          端子収容部
６１ａ        ガイド部
６１ｂ        係止凸部
６２          電線収容部
６２ａ        係止凸部
６３          端子収容室
７            カバー
７１          係止部
８            スライダ
８１          バネ収容部
８１ａ        バネ収容室
８１ｂ        スライド部
８２          移動規制片
９            バネ
１０          端子
１１          ピン挿入部
１１ａ        右壁
１１ａ１      打出部
１１ｂ        上壁
１１ｂ１      貫通孔
１１ｃ        弾接片
１１ｃ１      当接部
１１ｄ        下壁
１１ｄ１      貫通孔
１１ｅ        左壁
１１ｅ１      支持部
１１ｅ２      挿通孔
１１ｅ３      規制部
１１１        ピン挿入室
１１ｃ        弾接片
１２          ワイヤーバレル
１３          インシュレーションバレル
Ｄ            電線
Ｈ            フェライト
【図１】
0005638873.tif 000002
【図２】
0005638873.tif 000003
【図３】
0005638873.tif 000004
【図４】
0005638873.tif 000005
【図５】
0005638873.tif 000006
【図６】
0005638873.tif 000007
【図７】
0005638873.tif 000008